(57)【要約】  ドローンではなく遠隔操作の無人機により水田をリアルタイムに管理し、必要に応じた薬剤散布を行う新たなシステムを提供する。リアルタイム管理システム１は、薬剤散布用水上エアクッション艇２０と操縦端末１０とを含む。エアクッション艇２０は、その周囲を撮像する撮像部２０３、前記周囲の環境要因をセンシングするセンサ部２０４、航行部２０５、薬剤散布部２０６、操縦端末１０から操縦制御データを受信する受信部２０１、操縦端末１０へ撮像データとセンシングデータとを送信する送信部２０２、操縦制御データに基づき制御する操縦制御部２０７を有する。操縦端末１０は、エアクッション艇２０から撮像データとセンシングデータとを受信する受信部１０２、エアクッション艇２０へ操縦制御データを送信する送信部１０１、撮像データおよびセンシングデータを分析して水田マップデータに紐づけする分析部１０３、マップデータと受信データと分析データとを記憶する記憶部１０４、マップデータと分析データとを紐づけて表示する表示部１０５を有する。
2019130679.tif 000002
【特許請求の範囲】
【請求項１】
薬剤散布用水上エアクッション艇と、前記エアクッション艇を操縦する操縦端末とを含み、
前記エアクッション艇と前記操縦端末とは、通信回線網を介して接続可能であり；
前記エアクッション艇は、
送受信部、撮像部、センサ部、航行部、薬剤散布部、および操縦制御部を有し、
前記撮像部は、前記エアクッション艇の周囲を撮像し、
前記センサ部は、前記エアクッション艇の周囲の環境要因をセンシングし、
前記航行部は、前記エアクッション艇を航行させ、
前記薬剤散布部は、前記エアクッションに搭載された薬剤を散布し、
前記送受信部は、前記操縦端末から、操縦制御データを受信し、前記操縦端末へ、前記撮像部による撮像データ、および前記センサ部によるセンシングデータを送信し、
前記操縦制御部は、前記操縦制御データに基づいて、各部の操縦を制御し；
前記操縦端末は、
送受信部、分析部、記憶部、および表示部を有し、                   
前記送受信部は、前記エアクッション艇から、前記撮像データ、および前記センシングデータを受信し、前記エアクッション艇へ、操縦制御データを送信し、
前記分析部は、前記撮像データおよび前記センシングデータを分析して、水田のマップデータに紐づけし、
前記記憶部は、前記水田のマップデータ、前記エアクッション艇から受信した受信データ、および前記分析部により分析した分析データを、記憶し、
前記表示部は、前記水田のマップデータと前記分析データとを紐づけて表示する
ことを特徴とする水田のリアルタイム管理システム。
【請求項２】
前記撮像部が、画像解析用途の高解像度カメラである、請求項１に記載の水田のリアルタイム管理システム。
【請求項３】
前記センサ部が、水位センサ、温度センサ、ｐＨセンサ、窒素濃度センサ、リン濃度センサ、および尿素濃度センサからなる群から選択された少なくとも一つである、請求項１または２に記載の水田のリアルタイム管理システム。
【請求項４】
前記操縦端末が、スマートフォンまたはタブレットである、請求項１から３のいずれか一項に記載の水田のリアルタイム管理システム。
【請求項５】
送受信部、撮像部、センサ部、航行部、薬剤散布部、および操縦制御部を有し、
前記撮像部は、エアクッション艇の周囲を撮像し、
前記センサ部は、前記エアクッション艇の周囲の環境要因をセンシングし、
前記航行部は、前記エアクッション艇を航行させ、
前記薬剤散布部は、前記エアクッションに搭載された薬剤を散布し、
前記送受信部は、操縦端末から、操縦制御データを受信し、前記操縦端末へ、前記撮像部による撮像データ、および前記センサ部によるセンシングデータを送信し、
前記操縦制御部は、前記操縦制御データに基づいて、各部の操縦を制御し、
前記操縦端末と、通信回線網を介して接続可能であることを特徴とする
薬剤散布用水上エアクッション艇。
【請求項６】
前記撮像部が、画像解析用途の高解像度カメラである、請求項５に記載の薬剤散布用水上エアクッション艇。
【請求項７】
前記センサ部が、水位センサ、温度センサ、ｐＨセンサ、窒素濃度センサ、リン濃度センサ、および尿素濃度センサからなる群から選択された少なくとも一つである、請求項５または６に記載の薬剤散布用水上エアクッション艇。
【請求項８】
送受信部、分析部、記憶部、および表示部を有し、
前記受信部は、エアクッション艇から、撮像データ、およびセンシングデータを受信し、前記エアクッション艇へ、操縦制御データを送信し、
前記分析部は、前記撮像データおよび前記センシングデータを分析して、水田のマップデータに紐づけし、
前記記憶部は、水田のマップデータ、前記エアクッション艇から受信した受信データ、および前記分析部により分析した分析データを記憶し、
前記表示部は、前記マップデータと前記分析データとを紐づけて表示し、
前記エアクッション艇と、通信回線網を介して接続可能であることを特徴とする
薬剤散布用水上エアクッション艇用の操縦端末。
【請求項９】
前記操縦端末が、スマートフォンまたはタブレットである、請求項８に記載の薬剤散布用水上エアクッション艇用の操縦端末。
【請求項１０】
請求項５から７のいずれか一項に記載の薬剤散布用水上エアクッション艇と、請求項８または９に記載の操縦端末を使用し、
前記エアクッション艇と前記操縦端末とを、通信回線網を介して接続し；
前記操縦端末の送受信部により、前記エアクッション艇へ、操縦制御データを送信する送信工程、
前記エアクッション艇の送受信部により、前記操縦端末からの前記操縦制御データを受信する受信工程、
前記エアクッション艇の前記撮像部により、前記エアクッション艇の周囲を撮像する撮像工程、
前記エアクッション艇の前記センサ部により、前記エアクッション艇の周囲の環境要因をセンシングするセンシング工程、
前記エアクッション艇の航行部により、前記エアクッション艇を航行させる航行工程、
前記エアクッション艇の薬剤散布部により、前記エアクッション艇に搭載された薬剤を散布する工程、
前記エアクッション艇の送受信部により、前記操縦端末からの操縦制御データを受信する工程、
前記エアクッション艇の操縦制御部により、前記操縦制御データに基づいて、各部の操縦を制御する工程、
前記エアクッションの送受信部により、前記操縦端末へ、前記撮像部による撮像データ、および前記センサ部によるセンシングデータを送信する工程、
前記操縦端末の送受信部により、前記エアクッションからの前記撮像データ、および前記センシングデータを受信する工程、
前記操縦端末の分析部により、前記撮像データおよび前記センシングデータを分析して、水田のマップデータに紐づけする工程、
前記操縦端末の前記記憶部により、前記水田のマップデータ、前記エアクッション艇から受信したデータ、および前記分析部により分析した分析データを、記憶する工程、
前記操縦端末の表示部により、前記水田のマップデータと前記分析データとを紐づけて表示する工程
を含むことを特徴とする水田のリアルタイム管理方法。
【請求項１１】
前記撮像データが、画像解析用途の高解像度カメラの画像データである、請求項１０に記載のリアルタイム管理方法。
【請求項１２】
前記センシングデータが、水位データ、温度データ、ｐＨデータ、窒素濃度データ、リン濃度データ、および尿素濃度データからなる群から選択された少なくとも一つである、請求項１０または１１に記載のリアルタイム管理方法。
【請求項１３】
前記操縦端末が、スマートフォンまたはタブレットである、請求項１０から１２のいずれか一項に記載のリアルタイム管理方法。
【請求項１４】
請求項１０から１３のいずれか一項に記載の水田のリアルタイム管理方法をコンピュータ上で実行可能なことを特徴とする、プログラム。
【請求項１５】
請求項１４に記載のプログラムを記録していることを特徴とする、コンピュータ読み取り可能な記録媒体。
【発明の詳細な説明】
【技術分野】
【０００１】
本発明は、水田のリアルタイム管理システム、薬剤散布用水上エアクッション艇、操縦端末、リアルタイム管理方法、プログラム、および記録媒体に関する。
【背景技術】
【０００２】
水田への薬剤散布において、遠隔操作が可能なドローンが利用されている。しかしながら、日本のように、１つ１つの農地面積が狭い国の場合、ドローンからの空中散布では、薬剤が風で流れてしまい、隣接する農地にまで薬剤が散布されてしまうというリスクがある。例えば、健康志向が広まる昨今、農家によっては、使用する薬剤の種類の選択、使用量の制限等を徹底することで、農作物の商品価値を高めることを重要視するという契約農家もある。しかし、前述のように、薬剤が流れてしまうと、自らの農地については管理ができていても、近隣の薬剤散布による影響をうける可能性がある。【０００３】
また、薬剤は、必ずしも水田の全体に散布する必要はなく、ピンポイントの散布で足りる場合もある。しかし、航空飛行するドローンにより、水田において上空から薬剤散布が必要な箇所を見つけ出し、ピンポイントで散布することは、非常に困難である。【０００４】
また、コントローラで操縦する薬剤散布用ボートも報告されているが、操縦者が視認できる範囲で操縦できるにとどまり、必要な箇所にピンポイントで散布することは、同様に困難である（特許文献１）。
【先行技術文献】
【特許文献】
【０００５】
【特許文献１】特開２０１５−１４９５７０号公報
【発明の概要】
【発明が解決しようとする課題】
【０００６】
そこで、本発明は、空中飛行のドローンではなく、遠隔操作で操縦する無人機を用いて、水田をリアルタイムに管理し、必要に応じた薬剤散布を可能とする新たなシステムの提供を目的とする。
【課題を解決するための手段】
【０００７】
前記目的を達成するために、本発明のシステムは、水田のリアルタイム管理システムであり、
薬剤散布用水上エアクッション艇と、前記エアクッション艇を操縦する操縦端末とを含み、
前記エアクッション艇と前記操縦端末とは、通信回線網を介して接続可能であり；
前記エアクッション艇は、
送受信部、撮像部、センサ部、航行部、薬剤散布部、および操縦制御部を有し、
前記撮像部は、前記エアクッション艇の周囲を撮像し、
前記センサ部は、前記エアクッション艇の周囲の環境要因をセンシングし、
前記航行部は、前記エアクッション艇を航行させ、
前記薬剤散布部は、前記エアクッションに搭載された薬剤を散布し、
前記送受信部は、前記操縦端末から、操縦制御データを受信し、前記操縦端末へ、前記撮像部による撮像データ、および前記センサ部によるセンシングデータを送信し、
前記操縦制御部は、前記操縦制御データに基づいて、各部の操縦を制御し；
前記操縦端末は、
送受信、分析部、記憶部、および表示部を有し、
前記送受信部は、前記エアクッション艇から、前記撮像データ、および前記センシングデータを受信し、前記エアクッション艇へ、操縦制御データを送信し、
前記分析部は、前記撮像データおよび前記センシングデータを分析して、水田のマップデータに紐づけし、
前記記憶部は、前記水田のマップデータ、前記エアクッション艇から受信した受信データ、および前記分析部により分析した分析データを、記憶し、
前記表示部は、前記水田のマップデータと前記分析データとを紐づけて表示する
ことを特徴とする。【０００８】
本発明の薬剤散布用水上エアクッション艇は、
送受信部、撮像部、センサ部、航行部、薬剤散布部、および操縦制御部を有し、
前記撮像部は、前記エアクッション艇の周囲を撮像し、
前記センサ部は、前記エアクッション艇の周囲の環境要因をセンシングし、
前記航行部は、前記エアクッション艇を航行させ、
前記薬剤散布部は、前記エアクッションに搭載された薬剤を散布し、
前記送受信部は、操縦端末から、操縦制御データを受信し、前記操縦端末へ、前記撮像部による撮像データ、および前記センサ部によるセンシングデータを送信し、
前記操縦制御部は、前記操縦制御データに基づいて、各部の操縦を制御し、
前記操縦端末と、通信回線網を介して接続可能であることを特徴とする。【０００９】
本発明の操縦端末は、薬剤散布用水上エアクッション艇用の操縦端末であり、
送受信部、分析部、記憶部、および表示部を有し、
前記受信部は、前記エアクッション艇から、撮像データ、およびセンシングデータを受信し、前記エアクッション艇へ、操縦制御データを送信し、
前記分析部は、前記撮像データおよび前記センシングデータを分析して、水田のマップデータに紐づけし、
前記記憶部は、水田のマップデータ、前記エアクッション艇から受信した受信データ、および前記分析部により分析した分析データを記憶し、
前記表示部は、前記マップデータと前記分析データとを紐づけて表示し、
前記エアクッション艇と、通信回線網を介して接続可能であることを特徴とする。【００１０】
本発明の方法は、水田のリアルタイム管理方法であり、
前記本発明の薬剤散布用水上エアクッション艇と、前記本発明の操縦端末を使用し、
前記エアクッション艇と前記操縦端末とを、通信回線網を介して接続し；
前記操縦端末の送受信部により、前記エアクッション艇へ、操縦制御データを送信する送信工程、
前記エアクッション艇の送受信部により、前記操縦端末からの前記操縦制御データを受信する受信工程、
前記エアクッション艇の前記撮像部により、前記エアクッション艇の周囲を撮像する撮像工程、
前記エアクッション艇の前記センサ部により、前記エアクッション艇の周囲の環境要因をセンシングするセンシング工程、
前記エアクッション艇の航行部により、前記エアクッション艇を航行させる航行工程、
前記エアクッション艇の薬剤散布部により、前記エアクッション艇に搭載された薬剤を散布する工程、
前記エアクッション艇の送受信部により、前記操縦端末からの操縦制御データを受信する工程、
前記エアクッション艇の操縦制御部により、前記操縦制御データに基づいて、各部の操縦を制御する工程、
前記エアクッションの送受信部により、前記操縦端末へ、前記撮像部による撮像データ、および前記センサ部によるセンシングデータを送信する工程、
前記操縦端末の送受信部により、前記エアクッションからの前記撮像データ、および前記センシングデータを受信する工程、
前記操縦端末の分析部により、前記撮像データおよび前記センシングデータを分析して、水田のマップデータに紐づけする工程、
前記操縦端末の前記記憶部により、前記水田のマップデータ、前記エアクッション艇から受信したデータ、および前記分析部により分析した分析データを、記憶する工程、
前記操縦端末の表示部により、前記水田のマップデータと前記分析データとを紐づけて表示する工程を含むことを特徴とする。【００１１】
本発明のプログラムは、前記本発明の水田のリアルタイム管理方法をコンピュータ上で実行可能なことを特徴とする。【００１２】
本発明のコンピュータ読み取り可能な記録媒体は、前記本発明のプログラムを記録していることを特徴とする。
【発明の効果】
【００１３】
本発明によれば、例えば、水田において薬剤散布用水上エアクッション艇を航行させながら、水田の情報を取得できるため、リアルタイムでも水田の管理を行うことができる。そして、リアルタイムでの水田の情報に基づいて、例えば、薬剤の散布の要否、薬剤散布が必要な領域の判断等も行える。このため、簡便に、水田の管理と薬剤散布の調節等も可能となる。
【図面の簡単な説明】
【００１４】
【図１】図１は、本発明の実施形態１における水田のリアルタイム管理システムの一例を示すブロック図である。
【図２】図２は、本発明の実施形態１におけるリアルタイム管理システムのその他の例を示すブロック図である。
【図３】図３は、本発明の実施形態１におけるリアルタイム管理方法の一例を示すフローチャートである。
【図４】図４は、本発明の実施形態２におけるリアルタイム管理システムの一例を示すブロック図である。
【図５】図５は、本発明の実施形態１のリアルタイム管理システムにおける操縦端末のハードウェア構成の一例を示すブロック図である。
【図６】図６は、本発明の実施形態１のリアルタイム管理システムにおける薬剤散布エアクッション艇のハードウェア構成の一例を示すブロック図である。
【発明を実施するための形態】
【００１５】
本発明の実施形態について、図を用いて説明する。本発明は、下記の実施形態によって何ら限定および制限されない。以下の各図において、同一部分には、同一符号を付している。各実施形態の説明は、特に言及がない限り、互いの説明を援用できる。さらに、各実施形態の構成は、特に言及がない限り、組合せ可能である。
【００１６】
［実施形態１］
実施形態１は、本発明のリアルタイム管理システム、薬剤散布用水上エアクッション艇、操縦端末およびリアルタイム管理方法に関する。
【００１７】
図１に、本実施形態におけるリアルタイム管理システムのブロック図を示す。図１に示すように、本実施形態のリアルタイム管理システム１は、操縦端末１０と、薬剤散布用水上エアクッション艇２０（以下、ＡＣＶ（Air  cushion  vehicle）またはホバークラフトという）とを含む。そして、図２に示すように、操縦端末１０とＡＣＶ２０とが、通信回線網３０を介して接続可能である。
【００１８】
通信回線網３０は、特に制限されず、公知のコンピュータネットワークを使用でき、例えば、無線が好ましい。前記ネットワークは、例えば、ＬＡＮ（Ｌｏｃａｌ  Ａｒｅａ  Ｎｅｔｗｏｒｋ）、ＷｉＦｉ等があげられる
【００１９】
ＡＣＶ２０は、通信回線網３０を介して、操縦端末１０と接続され、操縦端末１０により操縦でき、水田を航行できればよい。ＡＣＶ１０の浮上方式は、特に制限されず、例えば、制圧式空気浮上、動圧式空気浮上、加圧式空気浮上、負圧式空気浮上等があげられる。
【００２０】
ＡＣＶ２０は、送受信部（受信部２０１、送信部２０２）、撮像部２０３、センサ部２０４、航行部２０５、薬剤散布部２０６、操縦制御部２０７を有する。ＡＣＶ２０は、例えば、ＣＰＵ（中央演算装置）を有する。前記ＣＰＵは、例えば、操縦制御部２０７を含む。ＡＣＶ２０において、受信部２０１、送信部２０２、および操縦制御部２０７は、例えば、ハードウェアであるデータ処理部（データ処理装置）に組み込まれてもよく、ソフトウェアまたは前記ソフトウェアが組み込まれたハードウェアでもよい。前記データ処理部は、ＣＰＵ等を備えてもよい。ＡＣＶ２０における各部は、例えば、電気的に接続されている。
【００２１】
ＡＣＶ２０の受信部２０１は、操縦端末１０から、操縦制御データを受信する。前記操縦制御データは、例えば、ＡＣＶ２０の操縦の制御シグナルである。前記操縦制御シグナルは、例えば、ＡＣＶ２０の制御シグナル、撮像部２０３の制御シグナル、センサ部２０４の制御シグナル、航行部２０５の制御シグナル、薬剤散布部２０６の制御シグナル等を含む。ＡＣＶ２０の制御シグナルは、例えば、ＡＣＶ２０の起動のＯＮ−ＯＦＦ等を制御するシグナルである。撮像部２０３の制御シグナルは、例えば、撮像のＯＮ−ＯＦＦ、撮像条件等を制御するシグナルである。センサ部２０４の制御シグナルは、例えば、センシングのＯＮ−ＯＦＦ、センシング条件等を制御するシグナルである。航行部２０５の制御シグナルは、例えば、前進、後進、左右への方向転換、停止、スピード等を制御するシグナルである。薬剤散布部２０６の制御シグナルは、例えば、薬剤散布の開始と停止、散布量等を制御するシグナルである。
【００２２】
ＡＣＶ２０の撮像部２０３は、ＡＣＶ２０の周囲を撮像する。撮像部２０３としては、例えば、カメラがあげられる。前記カメラの種類は、特に制限されず、例えば、画像解析用途の高解像度カメラ等が使用できる。ＡＣＶ２０に搭載する撮像部２０３の数は、特に制限されない。本実施形態のリアルタイム管理システム１では、作物の生育状況、水田の水中状況等の撮像データを得ることが好ましく、撮像部２０３は、例えば、水田における表面、水中等を撮像できるように、撮像部２０３を備えることが好ましい。
【００２３】
ＡＣＶ２０のセンサ部２０４は、ＡＣＶ２０の周囲の環境要因をセンシングする。センサ部２０４の種類は、特に制限されず、水田の作物の種類、季節等に応じて、適宜選択できる。センサ部２０４としては、例えば、水位センサ、温度センサ、ｐＨセンサ、窒素濃度センサ、リン濃度センサ、および尿素濃度センサ等があげられる。ＡＣＶ２０に搭載するセンサ部２０４の種類と数は、特に制限されず、例えば、１種類でもよいし２種類以上でもよく、また、１つでもよいし２つ以上でもよい。
【００２４】
ＡＣＶ２０の航行部２０５は、ＡＣＶ２０を航行させる。航行部２０５は、例えば、前述した浮上方式により水上に浮上させる浮上部、プロペラまたはスクリューまたはフロントロータ等の推進部等を含む。前記フロントロータは、例えば、右ロータと左ロータを有し、それぞれ別個に、変速ギアにより回転数を制御できることが好ましい。このように、前記右ロータと前記左ロータとを、それぞれ別個に制御することで、ＡＣＶ２０を旋回することもできる。
【００２５】
ＡＣＶ２０の薬剤散布部２０６は、ＡＣＶ２０に搭載された薬剤を散布する。薬剤散布部２０６は、例えば、滴下ノズル、噴射ノズル等があげられる。
【００２６】
ＡＣＶ２０の操縦制御部２０７は、受信部２０１が受信した前記操縦制御データに基づいて、各部、例えば、撮像部２０３、センサ部２０４、航行部２０５、薬剤散布部２０６の操縦を制御する。
【００２７】
ＡＣＶ２０の送信部２０２は、操縦端末１０へ、撮像部２０３による撮像データ、およびセンサ部２０４によるセンシングデータを送信する。
【００２８】
ＡＣＶ２０は、例えば、さらにＧＰＳ（Global  Positioning  System）を備えてもよい。ＡＣＶ２０は、例えば、ＧＰＳにより、ＡＣＶ２０周辺のマップデータを、通信回線網３０を介して取得することができる。ＡＣＶ２０のＧＰＳにより取得したマップデータは、例えば、通信回線網３０を介して、送信部２０２から操縦端末１０に送信してもよい。前記マップデータは、例えば、地図におけるＡＣＶ２０の位置座標である。
【００２９】
操縦端末１０は、送信部１０１、受信部１０２、分析部１０３、記憶部１０４、および表示部１０５を有する。送信部１０１、受信部１０２、分析部１０３は、例えば、ハードウェアであるデータ処理部（データ処理装置）に組み込まれてもよく、ソフトウェアまたは前記ソフトウェアが組み込まれたハードウェアでもよい。前記データ処理部は、中央演算装置（ＣＰＵ）等を備えてもよい。操縦端末１０の各部は、例えば、電気的に接続されている。
【００３０】
操縦端末１０は、特に制限されず、例えば、プロポ、スマートフォン、タブレット等があげられる。リアルタイム管理システム１によれば、操縦端末１０としてスマートフォンまたはタブレット等を使用できるため、例えば、表示部１０５の表示内容を見ながら、容易にＡＣＶ２０を操縦できる。
【００３１】
操縦端末１０の送信部１０１は、ＡＣＶ２０へ、操縦制御データを送信する。前記操縦制御データは、例えば、前述の通りである。
【００３２】
操縦端末１０の受信部１０２は、ＡＣＶ２０から、撮像部２０３の前記撮像データ、およびセンサ部２０４の前記センシングデータを受信する。前記撮像データおよび前記センシングデータは、例えば、前述の通りである。
【００３３】
操縦端末１０の分析部１０３は、前記撮像データおよび前記センシングデータを分析して、水田のマップデータに紐づけする。前記水田のマップデータは、例えば、前述のように、ＡＣＶ２０のＧＰＳにより取得することができる。前記撮像データおよび前記センシングデータの紐づけとは、例えば、前記水田のマップデータに、水田の各領域に該当する前記撮像データと前記センシングデータを関連づけることを意味する。前記撮像データは、例えば、分析部１０３により画像解析を行うことによって、水田における生育対象物（例えば、稲苗、稲葉鞘等）と除去対象物（例えば、雑草等）との分類、前記除去対象物が多い箇所か否かの分類等を行うことができる。
【００３４】
操縦端末１０の記憶部１０４は、前記水田のマップデータ、ＡＣＶ２０から受信したデータ（前記撮像データおよび前記センシングデータを含む）、および分析部１０３により分析した分析データを記憶する。記憶部１０４は、例えば、ランダムアクセスメモリ（ＲＡＭ）、読み出し専用メモリ（ＲＯＭ）、フラッシュメモリー、ハードディスク（ＨＤ）、光ディスク、フロッピー（登録商標）ディスク（ＦＤ）等があげられる。記憶部１０４は、例えば、操縦端末１０に内蔵されてもいし、操縦端末１０に外付けされてもよい。
【００３５】
操縦端末１０の表示部１０５は、前記水田のマップデータと前記分析データとを紐づけて表示する。表示部１０５は、例えば、ディスプレイである。表示部１０５において、例えば、水田のマップを表示し、さらに、水田の各領域と紐づけして、前記各領域の実際の撮像データと前記各領域の状態を示すセンシングデータを表示できる。
【００３６】
また、図５および図６に、リアルタイム管理システム１における操縦端末１０およびＡＣＶ２０のハードウェア構成のブロック図を、それぞれ例示する。
【００３７】
図５に示すように、操縦端末１０は、例えば、ＣＰＵ（中央処理装置）１１、メモリ１２、バス１３、入力装置１４、ディスプレイ１５、通信デバイス１６、記憶装置１７等を有する。前記ハードウェア構成において各部は、例えば、それぞれのインターフェイス（Ｉ／Ｆ）により、バス１３を介して、相互に接続されている。
【００３８】
ＣＰＵ１１は、操縦端末１０の全体の制御を担う。操縦端末１０において、ＣＰＵ１１により、例えば、本発明のプログラム１８やその他のプログラムが実行され、また、各種情報の読み込みや書き込みが行われる。具体的に、操縦端末１０は、例えば、ＣＰＵ１１が、分析部１０３として機能する。
【００３９】
操縦端末１０は、例えば、バス１３に接続された通信デバイス１６により、通信回線網に接続でき、前記通信回線網を介して、ＡＣＶ２０等の外部機器も接続できる。操縦端末１０と前記外部機器との接続方式は、特に制限されず、例えば、前述のように無線による接続が好ましい。前記無線による接続は、例えば、通信回線網を利用した接続でもよいし、無線通信を利用した接続でもよい。前記通信回線網は、特に制限されず、例えば、公知の通信回線網を使用でき、前述と同様である。
【００４０】
メモリ１２は、例えば、メインメモリを含み、前記メインメモリは、主記憶装置ともいう。ＣＰＵ１１が処理を行う際には、例えば、後述する補助記憶装置に記憶されている、本発明のプログラム等の動作プログラムを含むプログラム１８を、メモリ１２が読み込み、ＣＰＵ１１は、メモリ１２からデータを受け取って、前記プログラムを実行する。前記メインメモリは、例えば、ＲＡＭ（ランダムアクセスメモリ）である。メモリ１２は、例えば、さらに、ＲＯＭ（読み出し専用メモリ）を含む。
【００４１】
記憶装置１７は、例えば、前記メインメモリ（主記憶装置）に対して、いわゆる補助記憶装置ともいう。記憶装置１７は、例えば、記憶媒体と、前記記憶媒体に読み書きするドライブとを含む。前記記憶媒体は、特に制限されず、例えば、内蔵型でも外付け型でもよく、ＨＤ（ハードディスク）、ＦＤ（フロッピー（登録商標）ディスク）、ＣＤ−ＲＯＭ、ＣＤ−Ｒ、ＣＤ−ＲＷ、ＭＯ、ＤＶＤ、フラッシュメモリー、メモリーカード等があげられ、前記ドライブは、特に制限されない。記憶装置１７は、例えば、記憶媒体とドライブとが一体化されたハードディスクドライブ（ＨＤＤ）、ソリッドステートドライブ（ＳＳＤ）等も例示できる。記憶装置１７は、例えば、本発明のプログラム等のプログラム１８が格納される。記憶装置１７は、記憶部１０４であり、例えば、前述のような、前記水田のマップデータ１９１、ＡＣＶ２０から受信した受信データ１９２、分析部１０３で分析した分析データ１９３等が格納される。
【００４２】
操縦端末１０は、表示部１０５として、ディスプレイ１５を有し、例えば、ＬＥＤディスプレイ、液晶ディスプレイ等があげられる。操縦端末１０は、例えば、さらに、入力装置１４を有してもよく、例えば、タッチパネル、キーボード等があげられる。
【００４３】
図６に示すように、ＡＣＶ２０は、例えば、ＣＰＵ２１、メモリ２２、バス２３、入力装置２４、カメラ２５、センサ２６、航行部２０５、薬剤散布部２０６、通信デバイス２７、記憶装置２８等を有する。前記ハードウェア構成において各部は、例えば、それぞれのインターフェイス（Ｉ／Ｆ）により、バス２３を介して、相互に接続されている。
【００４４】
ＣＰＵ２１は、ＡＣＶ２０の全体の制御を担う。ＡＣＶ２０において、ＣＰＵ２１により、例えば、本発明のプログラム１８やその他のプログラムが実行され、また、各種情報の読み込みや書き込みが行われる。具体的に、ＡＣＶ２０は、例えば、ＣＰＵ２１が、操縦制御部２０７として機能する。
【００４５】
ＡＣＶ２０は、例えば、バス２３に接続された通信デバイス２７により、通信回線網に接続でき、前記通信回線網を介して、操縦端末１０と接続できる。ＡＣＶ２０と操縦端末１０との接続方式は、特に制限されず、前述の通りである。
【００４６】
メモリ２２は、例えば、メインメモリを含み、前記メインメモリは、主記憶装置ともいう。ＣＰＵ２１が処理を行う際には、例えば、後述する補助記憶装置に記憶されている、本発明のプログラム等の動作プログラムを含むプログラム１８を、メモリ２２が読み込み、ＣＰＵ２１は、メモリ２２からデータを受け取って、前記プログラムを実行する。前記メインメモリの例示は、例えば、操縦端末１０における例示と同様である。
【００４７】
ＡＣＶ２０は、例えば、撮像部２０３としてカメラ２５を有し、センサ部２０４として各種センサ２６を有する。航行部２０５および薬剤散布部２０６は、例えば、前述と同様である。カメラ２５、センサ２６、航行部２０５および薬剤散布部２０６は、ＣＰＵ２１が操縦制御部と２０７として機能することにより、それぞれ制御される。
【００４８】
記憶装置２８は、例えば、前記メインメモリ（主記憶装置）に対して、いわゆる補助記憶装置ともいう。前記メインメモリの例示は、例えば、操縦端末１０における例示と同様である。記憶装置２８は、記憶部であり、例えば、カメラ２５で撮像した撮像データ２９１、センサ２６で取得したセンシングデータ２９２等が格納される。
【００４９】
ＡＣＶ２０は、例えば、さらに、入力装置２４、表示部としてディスプレイ等を有してもよい。入力装置２４は、例えば、タッチパネル、キーボード等があげられ、前記ディスプレイは、例えば、ＬＥＤディスプレイ、液晶ディスプレイ等があげられる。
【００５０】
つぎに、図３に、本実施形態における水田のリアルタイム管理方法のフローチャートを示す。本実施形態のリアルタイム管理方法は、例えば、図１および図２のリアルタイム管理システム１を用いて、つぎのように実施する。
【００５１】
図３に示すように、本実施形態のリアルタイム管理方法は、操縦端末１０による、操縦制御データ送信工程（Ｓ１００）、取得データ受信工程（Ｓ１０４）、分析工程（Ｓ１０５）、表示工程（Ｓ１０６）およびデータ記憶工程（Ｓ１０７）を有し、ＡＣＶ２０による、操縦制御データ受信工程（Ｓ１０１）、撮像工程（Ｓ１０２−１）、センシング工程（Ｓ１０２−２）、航行工程（Ｓ１０２−３）、薬剤散布工程（Ｓ１０２−４）、取得データ送信工程（Ｓ１０３）を含む。図３において、太枠の工程は、操縦端末１０による工程であり、細枠の工程は、ＡＣＶ２０による工程である。本実施形態において、操縦端末１０による各工程と、ＡＣＶ２０による各工程は、それぞれ、順次行われてもよいし、並行して行われてもよい。
【００５２】
まず、操縦端末１０が、ＡＣＶ２０に、前記操縦制御データを送信する（Ｓ１００）。前記操縦制御データには、例えば、ＡＣＶ２０の航行、ＡＣＶ２０による撮像、センシング、および薬剤散布を制御するデータが含まれる。
【００５３】
そして、ＡＣＶ２０は、操縦端末１０から、前記操縦制御データを受信（Ｓ１０１）し、受信した前記操縦制御データに基づいて、ＡＣＶ２０の操縦制御部２０７は、撮像部２０３、センサ部２０４、航行部２０５、および薬剤散布部２０６の操縦を制御して、各工程を実行する。
【００５４】
すなわち、ＡＣＶ２０の撮像部２０３により、ＡＣＶ２０の周囲を撮像し（Ｓ１０２−１）し、ＡＣＶ２０のセンサ部２０４により、ＡＣＶ２０の周囲の環境要因をセンシングし（Ｓ１０２−２）、ＡＣＶ２０の航行部２０５により、ＡＣＶ２０を航行させ（Ｓ１０２−３）、ＡＣＶ２０の薬剤散布部２０６により、ＡＣＶ２０に搭載した薬剤を、水田に散布する（Ｓ１０２−４）。
【００５５】
つぎに、ＡＣＶ２０は、操縦端末１０に、取得データ（前記撮像データおよび前記センシングデータ）を送信し（Ｓ１０３）、操縦端末１０は、ＡＣＶ２０から、前記取得データ（前記撮像データおよび前記センシングデータ）を受信する（Ｓ１０４）。
【００５６】
そして、操縦端末１０の分析部１０３により、前記取得データ（前記撮像データおよび前記センシングデータ）を分析して、分析データを、水田のマップデータに紐づけする（Ｓ１０５）。前記水田のマップデータは、例えば、予め、操縦端末１０に記憶させてもよい。水田のマップデータへの前記分析データの紐づけは、例えば、ＡＣＶ２０にＧＰＳを搭載し、ＧＰＳマッピングにより行うこともできる。
【００５７】
そして、前記水田のマップデータ、ＡＣＶ２０から受信したデータ、および分析部１０３により分析した分析データを記憶する（Ｓ１０７）。
【００５８】
また、操縦端末１０の表示部１０５により、前記水田のマップデータと前記分析データとを紐づけて表示する（Ｓ１０６）。このように、表示部１０５に、前記水田のマップデータと紐づけて、前記水田の各領域の実際の撮像データと、前記各領域の状態を示すセンシングデータとが表示されることで、操縦者は、リアルタイムで水田の状態を把握できる。このため、操縦者は、表示部１０５の表示を見ながら、リアルタイムの情報に基づいて、水田の各領域について、例えば、薬剤の散布の要否、散布量等を決定できる。
【００５９】
具体的に、本実施形態によれば、操縦者は、操縦端末１０の表示部１０５の表示内容、例えば、ＡＣＶ２０の周囲の画像に基づいて、さらに、ＡＣＶ２０の航行方向、航行スピード等を決定できる。具体的には、例えば、前記画像において進行方向に障害物がある場合は、前記障害物を迂回するような方向にＡＣＶ２０を航行させたり、前記画像において周囲に雑草がある場合は、薬剤処理を効果的に行うために、ＡＣＶ２０の航行スピードを減速する等である。そして、決定した航行条件を操縦制御データとして、操縦端末１０からＡＣＶ２０に、送信する（Ｓ１００）。他方、ＡＣＶ２０は、前記操縦制御データを受信し（Ｓ１０１）、前記操縦制御データに基づいて、航行する（Ｓ１０２−０３）。
【００６０】
また、操縦者は、同様に、操縦端末１０の表示部１０５の表示内容、例えば、ＡＣＶ２０の周囲の画像に基づいて、さらに、ＡＣＶ２０からの薬剤散布の有無、薬剤散布量等を決定できる。具体的には、例えば、前記画像において周囲に雑草がない場合は、薬剤散布をＯＦＦにする、前記画像において周囲に雑草がある場合は、薬剤散布をＯＮにする、前記雑草の量に応じて、薬剤散布量を変化させる等である。そして、決定した散布条件を操縦制御データとして、操縦端末１０からＡＣＶ２０に、送信する（Ｓ１００）。他方、ＡＣＶ２０は、前記操縦制御データを受信し（Ｓ１０１）、前記操縦制御データに基づいて、薬剤散布する（Ｓ１０２−４）。
【００６１】
また、操縦者は、ＡＣＶ２０を航行させながら、各種データをセンシングする（Ｓ１０２−２）。このセンシングデータは、水田の状態を示すリアルタイムの情報である。このため、分析を行い、水田のマップデータに紐づけし（Ｓ１０５）、その分析結果を、例えば、画像と共に表示することで（Ｓ１０６）、水田の状態をリアルタイムで管理することができる。
【００６２】
このように、本発明によれば、水田においてＡＣＶを航行させながら、水田の各領域の撮像データと、前記各領域の状態を示すセンシングデータを取得できる。そして、前記撮像データと前記センシングデータとを、水田のマップデータと紐づけすることにより、操縦者は、リアルタイムで、水田の状態を把握できることから、適切な薬剤散布が可能となる。
【００６３】
具体的には、例えば、前記撮像データにおいて、除去対象物（例えば、雑草等）が確認されなければ、薬剤散布を行わず、前記除去対象物が確認された場合のみ、薬剤散布を行うことができ、前述のようなピンポイントの薬剤散布が可能となる。また、前記撮像データに基づいて、前記除去対象物の量に応じて、散布する薬剤量を調節することが可能となる。また、例えば、前記撮像データにおいて生育対象物（例えば、稲苗、稲葉鞘等）が確認された場合は、前記撮像データに基づいて、前記生育対象物にあたらないように、前記ＡＣＶの航行を調節することも可能である。また、飛行ドローンではなく、前記ＡＣＶを使用するため、空中における薬剤の不要な拡散も防止できる。
【００６４】
また、前記センシングデータの取得により、水田の状態を把握することができる。このような水田の状態のデータを蓄積することによって、例えば、今後の前記生育対象物の育成計画等に反映することも可能となる。具体例としては、例えば、薬剤の選択、肥料の選択、消毒の要否等の計画である。
【００６５】
本発明によれば、前述のような効果から、例えば、農業者の水田圃場管理のための精細な圃場管理データ収集および分析と同時に、除草剤散布作業を効率化し、減農薬農法への一助にもなり、農薬コストを低減させ、農薬の除草効率の向上にも期待できると考えられる。
【００６６】
［実施形態２］
実施形態２は、実施形態１における端末１０とＡＣＶ２０について、さらに具体的な実装機能と、プロセスの関連とを、例示する。
【００６７】
下記表１に、端末１０が備える機能およびＡＣＶ２０が備える機能を例示する。
【００６８】
【表１】
2019130679.tif 000003
【００６９】
また、これらの機能を備える端末１０とＡＣＶ２０とのプロセスの関係性を、図４に示す。
【００７０】
［実施形態３］
本実施形態のプログラムは、前述のリアルタイム管理方法を、コンピュータ上で実行可能なプログラムである。本実施形態のプログラムは、例えば、コンピュータ読み取り可能な記録媒体に記録されてもよい。前記記録媒体としては、特に限定されず、例えば、ランダムアクセスメモリ（ＲＡＭ）、読み出し専用メモリ（ＲＯＭ）、ハードディスク（ＨＤ）、光ディスク、フロッピー（登録商標）ディスク（ＦＤ）等があげられる。
【００７１】
以上、実施形態を参照して本発明を説明したが、本発明は、上記実施形態に限定されるものではない。本発明の構成や詳細には、本発明のスコープ内で当業者が理解しうる様々な変更をできる。
【００７２】
この出願は、２０１７年１２月２８日に出願された日本出願特願２０１７―２５４５９２を基礎とする優先権を主張し、その開示のすべてをここに取り込む。
【００７３】
上記の実施形態の一部または全部は、以下の付記のように記載されうるが、以下には限られない。
【００７４】
［付記１］
薬剤散布用水上エアクッション艇と、前記エアクッション艇を操縦する操縦端末とを含み、
前記エアクッション艇と前記操縦端末とは、通信回線網を介して接続可能であり；
前記エアクッション艇は、
送受信部、撮像部、センサ部、航行部、薬剤散布部、および操縦制御部を有し、
前記撮像部は、前記エアクッション艇の周囲を撮像し、
前記センサ部は、前記エアクッション艇の周囲の環境要因をセンシングし、
前記航行部は、前記エアクッション艇を航行させ、
前記薬剤散布部は、前記エアクッションに搭載された薬剤を散布し、
前記送受信部は、前記操縦端末から、操縦制御データを受信し、前記操縦端末へ、前記撮像部による撮像データ、および前記センサ部によるセンシングデータを送信し、
前記操縦制御部は、前記操縦制御データに基づいて、各部の操縦を制御し；
前記操縦端末は、
送受信部、分析部、記憶部、および表示部を有し、                   
前記送受信部は、前記エアクッション艇から、前記撮像データ、および前記センシングデータを受信し、前記エアクッション艇へ、操縦制御データを送信し、
前記分析部は、前記撮像データおよび前記センシングデータを分析して、水田のマップデータに紐づけし、
前記記憶部は、前記水田のマップデータ、前記エアクッション艇から受信した受信データ、および前記分析部により分析した分析データを、記憶し、
前記表示部は、前記水田のマップデータと前記分析データとを紐づけて表示する
ことを特徴とする水田のリアルタイム管理システム。
［付記２］
前記撮像部が、画像解析用途の高解像度カメラである、付記１に記載の水田のリアルタイム管理システム。
［付記３］
前記センサ部が、水位センサ、温度センサ、ｐＨセンサ、窒素濃度センサ、リン濃度センサ、および尿素濃度センサからなる群から選択された少なくとも一つである、付記１または２に記載の水田のリアルタイム管理システム。
［付記４］
前記操縦端末が、スマートフォンまたはタブレットである、付記１から３のいずれかに記載の水田のリアルタイム管理システム。
［付記５］
送受信部、撮像部、センサ部、航行部、薬剤散布部、および操縦制御部を有し、
前記撮像部は、エアクッション艇の周囲を撮像し、
前記センサ部は、前記エアクッション艇の周囲の環境要因をセンシングし、
前記航行部は、前記エアクッション艇を航行させ、
前記薬剤散布部は、前記エアクッションに搭載された薬剤を散布し、
前記送受信部は、操縦端末から、操縦制御データを受信し、前記操縦端末へ、前記撮像部による撮像データ、および前記センサ部によるセンシングデータを送信し、
前記操縦制御部は、前記操縦制御データに基づいて、各部の操縦を制御し、
前記操縦端末と、通信回線網を介して接続可能であることを特徴とする
薬剤散布用水上エアクッション艇。
［付記６］
前記撮像部が、画像解析用途の高解像度カメラである、付記５に記載の薬剤散布用水上エアクッション艇。
［付記７］
前記センサ部が、水位センサ、温度センサ、ｐＨセンサ、窒素濃度センサ、リン濃度センサ、および尿素濃度センサからなる群から選択された少なくとも一つである、付記５または６に記載の薬剤散布用水上エアクッション艇。
［付記８］
送受信部、分析部、記憶部、および表示部を有し、
前記受信部は、エアクッション艇から、撮像データ、およびセンシングデータを受信し、前記エアクッション艇へ、操縦制御データを送信し、
前記分析部は、前記撮像データおよび前記センシングデータを分析して、水田のマップデータに紐づけし、
前記記憶部は、水田のマップデータ、前記エアクッション艇から受信した受信データ、および前記分析部により分析した分析データを記憶し、
前記表示部は、前記マップデータと前記分析データとを紐づけて表示し、
前記エアクッション艇と、通信回線網を介して接続可能であることを特徴とする
薬剤散布用水上エアクッション艇用の操縦端末。
［付記９］
前記操縦端末が、スマートフォンまたはタブレットである、付記８に記載の薬剤散布用水上エアクッション艇用の操縦端末。
［付記１０］
付記５から７のいずれかに記載の薬剤散布用水上エアクッション艇と、付記８または９に記載の操縦端末を使用し、
前記エアクッション艇と前記操縦端末とを、通信回線網を介して接続し；
前記操縦端末の送受信部により、前記エアクッション艇へ、操縦制御データを送信する送信工程、
前記エアクッション艇の送受信部により、前記操縦端末からの前記操縦制御データを受信する受信工程、
前記エアクッション艇の前記撮像部により、前記エアクッション艇の周囲を撮像する撮像工程、
前記エアクッション艇の前記センサ部により、前記エアクッション艇の周囲の環境要因をセンシングするセンシング工程、
前記エアクッション艇の航行部により、前記エアクッション艇を航行させる航行工程、
前記エアクッション艇の薬剤散布部により、前記エアクッション艇に搭載された薬剤を散布する工程、
前記エアクッション艇の送受信部により、前記操縦端末からの操縦制御データを受信する工程、
前記エアクッション艇の操縦制御部により、前記操縦制御データに基づいて、各部の操縦を制御する工程、
前記エアクッションの送受信部により、前記操縦端末へ、前記撮像部による撮像データ、および前記センサ部によるセンシングデータを送信する工程、
前記操縦端末の送受信部により、前記エアクッションからの前記撮像データ、および前記センシングデータを受信する工程、
前記操縦端末の分析部により、前記撮像データおよび前記センシングデータを分析して、水田のマップデータに紐づけする工程、
前記操縦端末の前記記憶部により、前記水田のマップデータ、前記エアクッション艇から受信したデータ、および前記分析部により分析した分析データを、記憶する工程、
前記操縦端末の表示部により、前記水田のマップデータと前記分析データとを紐づけて表示する工程
を含むことを特徴とする水田のリアルタイム管理方法。
［付記１１］
前記撮像データが、画像解析用途の高解像度カメラの画像データである、付記１０に記載のリアルタイム管理方法。
［付記１２］
前記センシングデータが、水位データ、温度データ、ｐＨデータ、窒素濃度データ、リン濃度データ、および尿素濃度データからなる群から選択された少なくとも一つである、付記１０または１１に記載のリアルタイム管理方法。
［付記１３］
前記操縦端末が、スマートフォンまたはタブレットである、付記１０から１２のいずれかに記載のリアルタイム管理方法。
［付記１４］
付記１０から１３のいずれかに記載の水田のリアルタイム管理方法をコンピュータ上で実行可能なことを特徴とする、プログラム。
［付記１５］
付記１４に記載のプログラムを記録していることを特徴とする、コンピュータ読み取り可能な記録媒体。
【産業上の利用可能性】
【００７５】
本発明によれば、例えば、水田において薬剤散布用水上エアクッション艇を航行させながら、水田の情報を取得できるため、リアルタイムでも水田の管理を行うことができる。そして、リアルタイムでの水田の情報に基づいて、例えば、薬剤の散布の要否、薬剤散布が必要な領域の判断等も行える。このため、簡便に、水田の管理と薬剤散布の調節とが可能となる。
【符号の説明】
【００７６】
１        リアルタイム管理システム
１０      操縦端末
２０      薬剤散布用水上エアクッション艇
１０１    送信部
１０２    受信部
１０３    分析部
１０４    記憶部
１０５    表示部
２０１    受信部
２０２    送信部
２０３    撮像部
２０４    センサ部
２０５    航行部
２０６    薬剤散布部
２０７    操縦制御部
【図１】
2019130679.tif 000004
【図２】
2019130679.tif 000005
【図３】
2019130679.tif 000006
【図４】
2019130679.tif 000007
【図５】
2019130679.tif 000008
【図６】
2019130679.tif 000009
【手続補正書】
【提出日】令和2年3月12日(2020.3.12)
【手続補正１】
【補正対象書類名】特許請求の範囲
【補正対象項目名】全文
【補正方法】変更
【補正の内容】
【特許請求の範囲】
【請求項１】
薬剤散布用水上エアクッション艇と、前記エアクッション艇を操縦する操縦端末とを含み、
前記エアクッション艇と前記操縦端末とは、通信回線網を介して接続可能であり；
前記エアクッション艇は、
送受信部、撮像部、センサ部、航行部、薬剤散布部、および操縦制御部を有し、
前記撮像部は、前記エアクッション艇の周囲を撮像し、
前記センサ部は、前記エアクッション艇の周囲の環境要因をセンシングし、
前記航行部は、前記エアクッション艇を航行させ、
前記薬剤散布部は、前記エアクッションに搭載された薬剤を散布し、
前記送受信部は、前記操縦端末から、操縦制御データを受信し、前記操縦端末へ、前記撮像部による撮像データ、および前記センサ部によるセンシングデータを送信し、
前記操縦制御部は、前記操縦制御データに基づいて、各部の操縦を制御し；
前記操縦端末は、
送受信部、分析部、記憶部、および表示部を有し、
前記送受信部は、前記エアクッション艇から、前記撮像データ、および前記センシングデータを受信し、前記エアクッション艇へ、操縦制御データを送信し、
前記分析部は、前記撮像データおよび前記センシングデータを分析して、水田のマップデータに紐づけし、
前記記憶部は、前記水田のマップデータ、前記エアクッション艇から受信した受信データ、および前記分析部により分析した分析データを、記憶し、
前記表示部は、前記水田のマップデータと前記分析データとを紐づけて表示する
ことを特徴とする水田のリアルタイム管理システム。
【請求項２】
前記撮像部が、画像解析用途の高解像度カメラである、請求項１に記載の水田のリアルタイム管理システム。
【請求項３】
前記センサ部が、水位センサ、温度センサ、ｐＨセンサ、窒素濃度センサ、リン濃度センサ、および尿素濃度センサからなる群から選択された少なくとも一つである、請求項１または２に記載の水田のリアルタイム管理システム。
【請求項４】
前記操縦端末が、スマートフォンまたはタブレットである、請求項１から３のいずれか一項に記載の水田のリアルタイム管理システム。
【請求項５】
送受信部、撮像部、センサ部、航行部、薬剤散布部、および操縦制御部を有し、
前記撮像部は、エアクッション艇の周囲を撮像し、
前記センサ部は、前記エアクッション艇の周囲の環境要因をセンシングし、
前記航行部は、前記エアクッション艇を航行させ、
前記薬剤散布部は、前記エアクッションに搭載された薬剤を散布し、
前記送受信部は、操縦端末から、操縦制御データを受信し、前記操縦端末へ、前記撮像部による撮像データ、および前記センサ部によるセンシングデータを送信し、
前記操縦制御部は、前記操縦制御データに基づいて、各部の操縦を制御し、
前記操縦端末と、通信回線網を介して接続可能であることを特徴とする
薬剤散布用水上エアクッション艇。
【請求項６】
前記撮像部が、画像解析用途の高解像度カメラである、請求項５に記載の薬剤散布用水上エアクッション艇。
【請求項７】
送受信部、分析部、記憶部、および表示部を有し、
前記送受信部は、エアクッション艇から、撮像データ、およびセンシングデータを受信し、前記エアクッション艇へ、操縦制御データを送信し、
前記分析部は、前記撮像データおよび前記センシングデータを分析して、水田のマップデータに紐づけし、
前記記憶部は、水田のマップデータ、前記エアクッション艇から受信した受信データ、および前記分析部により分析した分析データを記憶し、
前記表示部は、前記マップデータと前記分析データとを紐づけて表示し、
前記エアクッション艇と、通信回線網を介して接続可能であることを特徴とする
薬剤散布用水上エアクッション艇用の操縦端末。
【請求項８】
請求項５または６に記載の薬剤散布用水上エアクッション艇と、請求項７に記載の操縦端末を使用し、
前記エアクッション艇と前記操縦端末とを、通信回線網を介して接続し；
前記操縦端末の送受信部により、前記エアクッション艇へ、操縦制御データを送信する送信工程、
前記エアクッション艇の送受信部により、前記操縦端末からの前記操縦制御データを受信する受信工程、
前記エアクッション艇の前記撮像部により、前記エアクッション艇の周囲を撮像する撮像工程、
前記エアクッション艇の前記センサ部により、前記エアクッション艇の周囲の環境要因をセンシングするセンシング工程、
前記エアクッション艇の航行部により、前記エアクッション艇を航行させる航行工程、
前記エアクッション艇の薬剤散布部により、前記エアクッション艇に搭載された薬剤を散布する工程、
前記エアクッション艇の送受信部により、前記操縦端末からの操縦制御データを受信する工程、
前記エアクッション艇の操縦制御部により、前記操縦制御データに基づいて、各部の操縦を制御する工程、
前記エアクッションの送受信部により、前記操縦端末へ、前記撮像部による撮像データ、および前記センサ部によるセンシングデータを送信する工程、
前記操縦端末の送受信部により、前記エアクッションからの前記撮像データ、および前記センシングデータを受信する工程、
前記操縦端末の分析部により、前記撮像データおよび前記センシングデータを分析して、水田のマップデータに紐づけする工程、
前記操縦端末の前記記憶部により、前記水田のマップデータ、前記エアクッション艇から受信したデータ、および前記分析部により分析した分析データを、記憶する工程、
前記操縦端末の表示部により、前記水田のマップデータと前記分析データとを紐づけて表示する工程
を含むことを特徴とする水田のリアルタイム管理方法。
【請求項９】
請求項８に記載の水田のリアルタイム管理方法の各工程をコンピュータに実行させるためのプログラム。
【請求項１０】
請求項９に記載のプログラムを記録していることを特徴とする、コンピュータ読み取り可能な記録媒体。
【国際調査報告】
2019130679.tif 000010
2019130679.tif 000011
2019130679.tif 000012
2019130679.tif 000013